(57)【要約】    本開示の一態様に係るユーザ端末は、非周期チャネル状態情報参照信号（ＡＰ ＣＳＩ−ＲＳ）のQuasi-Co-Location（ＱＣＬ）想定を、以下の（１）及び（２）の条件が両方満たされる場合に、特定の制御リソースセット（ＣＯＲＥＳＥＴ）に基づいて決定する。ここで、（１）の条件は、前記ＡＰ−ＣＳＩ−ＲＳをスケジュールする下りリンク制御情報を伝送する下りリンク制御チャネルの受信と、前記ＡＰ ＣＳＩ−ＲＳの受信との間のスケジューリングオフセットが、報告したビームスイッチのための期間の値より小さいことであり、（２）の条件は、前記ＡＰ−ＣＳＩ−ＲＳと同じシンボルにおいて、指示されたTransmission ration Indication state（ＴＣＩ状態）を有する他の下りリンク信号がない、又は指示されたＴＣＩ状態を有しない他の下りリンク信号がある、ことである。本開示の一態様によれば、ＡＰ−ＣＳＩ−ＲＳのＴＣＩ状態（ＱＣＬ想定）を適切に決定できる。
2020170449.tif 000002
【特許請求の範囲】
【請求項１】
非周期チャネル状態情報参照信号（Aperiodic  Channel  State  Information-Reference  Signal（ＡＰ  ＣＳＩ−ＲＳ））のQuasi-Co-Location（ＱＣＬ）想定を、以下の（１）及び（２）の条件が両方満たされる場合に、特定の制御リソースセット（COntrol  REsource  SET（ＣＯＲＥＳＥＴ））に基づいて決定する、ここで、  （１）前記ＡＰ−ＣＳＩ−ＲＳをスケジュールする下りリンク制御情報を伝送する下りリンク制御チャネルの受信と、前記ＡＰ  ＣＳＩ−ＲＳの受信との間のスケジューリングオフセットが、報告したビームスイッチのための期間の値より小さい、  （２）前記ＡＰ−ＣＳＩ−ＲＳと同じシンボルにおいて、指示されたTransmission  Configuration  Indication  state（ＴＣＩ状態）を有する他の下りリンク信号がない、又は指示されたＴＣＩ状態を有しない他の下りリンク信号がある、制御部と、  前記ＱＣＬ想定を用いて前記ＡＰ−ＣＳＩ−ＲＳを受信する受信部と、を有することを特徴とするユーザ端末。
【請求項２】
前記指示されたＴＣＩ状態を有しない他の下りリンク信号は、所定の閾値より小さいスケジューリングオフセットを有するPhysical  Downlink  Shared  Channel（ＰＤＳＣＨ）、及び前記ビームスイッチのための期間の値より小さいスケジューリングオフセットを有するＡＰ−ＣＳＩ−ＲＳの少なくとも一方であることを特徴とする請求項１に記載のユーザ端末。
【請求項３】
非周期チャネル状態情報参照信号（Aperiodic  Channel  State  Information-Reference  Signal（ＡＰ  ＣＳＩ−ＲＳ））のQuasi-Co-Location（ＱＣＬ）想定を、以下の（１）及び（２）の条件が両方満たされる場合に、特定の制御リソースセット（COntrol  REsource  SET（ＣＯＲＥＳＥＴ））に基づいて決定する、ここで、  （１）前記ＡＰ−ＣＳＩ−ＲＳをスケジュールする下りリンク制御情報を伝送する下りリンク制御チャネルの受信と、前記ＡＰ  ＣＳＩ−ＲＳの受信との間のスケジューリングオフセットが、報告したビームスイッチのための期間の値より小さい、  （２）前記ＡＰ−ＣＳＩ−ＲＳと同じシンボルにおいて、指示されたTransmission  Configuration  Indication  state（ＴＣＩ状態）を有する他の下りリンク信号がない、又は指示されたＴＣＩ状態を有しない他の下りリンク信号がある、ステップと、  前記ＱＣＬ想定を用いて前記ＡＰ−ＣＳＩ−ＲＳを受信するステップと、を有することを特徴とするユーザ端末の無線通信方法。
【発明の詳細な説明】
【技術分野】
【０００１】  本開示は、次世代移動通信システムにおけるユーザ端末及び無線通信方法に関する。
【背景技術】
【０００２】  Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】  ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】  将来の無線通信システム（例えば、ＮＲ）では、ユーザ端末（ＵＥ：User  Equipment）は、チャネル状態情報参照信号（Channel  State  Information  Reference  Signal（ＣＳＩ−ＲＳ））を用いてチャネル状態を測定し、チャネル状態情報（Channel  State  Information（ＣＳＩ））をネットワーク（例えば、基地局）にフィードバック（報告）する。【０００６】  ＣＳＩのフィードバック方法として、非周期的なＣＳＩ（Aperiodic  CSI、ＡＰ−ＣＳＩ）報告が検討されている。ＡＰ−ＣＳＩ報告のために測定するＣＳＩ−ＲＳは、ＡＰ  ＣＳＩ−ＲＳ（又はＡ−ＣＳＩ−ＲＳ）（Aperiodic  CSI-RS）と呼ばれてもよい。【０００７】  ＮＲでは、ＵＥの報告したビームスイッチタイミングに基づいて、ＡＰ−ＣＳＩ−ＲＳの受信のための疑似コロケーション（Quasi-Co-Location（ＱＣＬ））の想定が決定されることが検討されている。【０００８】  しかしながら、現状のＮＲ仕様では、報告したビームスイッチタイミングの値が１４、２８及び４８のいずれかである場合の全てのケースに対応できていない。このため、現状のＮＲ仕様に従う場合には、ＡＰ−ＣＳＩ−ＲＳのＴＣＩ状態（ＱＣＬ想定）を適切に決定してＣＳＩを測定することができないケースがあり、通信スループットの増大が抑制されるおそれがある。【０００９】  そこで、本開示は、ＡＰ−ＣＳＩ−ＲＳのＴＣＩ状態（ＱＣＬ想定）を適切に決定できるユーザ端末及び無線通信方法を提供することを目的の１つとする。
【課題を解決するための手段】
【００１０】  本開示の一態様に係るユーザ端末は、非周期チャネル状態情報参照信号（Aperiodic  Channel  State  Information-Reference  Signal（ＡＰ  ＣＳＩ−ＲＳ））のQuasi-Co-Location（ＱＣＬ）想定を、以下の（１）及び（２）の条件が両方満たされる場合に、特定の制御リソースセット（COntrol  REsource  SET（ＣＯＲＥＳＥＴ））に基づいて決定する、ここで、（１）前記ＡＰ−ＣＳＩ−ＲＳをスケジュールする下りリンク制御情報を伝送する下りリンク制御チャネルの受信と、前記ＡＰ  ＣＳＩ−ＲＳの受信との間のスケジューリングオフセットが、報告したビームスイッチのための期間の値より小さい、（２）前記ＡＰ−ＣＳＩ−ＲＳと同じシンボルにおいて、指示されたTransmission  Configuration  Indication  state（ＴＣＩ状態）を有する他の下りリンク信号がない、又は指示されたＴＣＩ状態を有しない他の下りリンク信号がある、制御部と、前記ＱＣＬ想定を用いて前記ＡＰ−ＣＳＩ−ＲＳを受信する受信部と、を有することを特徴とする。
【発明の効果】
【００１１】  本開示の一態様によれば、ＡＰ−ＣＳＩ−ＲＳのＴＣＩ状態（ＱＣＬ想定）を適切に決定できる。
【図面の簡単な説明】
【００１２】
【図１】図１は、ＡＰ  ＣＳＩ−ＲＳのＱＣＬ想定の一例を示す図である。
【図２】図２は、第１の実施形態に係るＡＰ  ＣＳＩ−ＲＳのＱＣＬ想定の一例を示す図である。
【図３】図３は、第２の実施形態に係るＡＰ  ＣＳＩ−ＲＳのＱＣＬ想定の一例を示す図である。
【図４】図４は、一実施形態に係る無線通信システムの概略構成の一例を示す図である。
【図５】図５は、一実施形態に係る基地局の構成の一例を示す図である。
【図６】図６は、一実施形態に係るユーザ端末の構成の一例を示す図である。
【図７】図７は、一実施形態に係る基地局及びユーザ端末のハードウェア構成の一例を示す図である。
【発明を実施するための形態】
【００１３】（ＴＣＩ、ＱＣＬ、空間関係）  ＮＲでは、送信設定指示状態（Transmission  Configuration  Indication  state（ＴＣＩ状態））に基づいて、信号及びチャネルの少なくとも一方（信号／チャネルと表現する）のＵＥにおける受信処理（例えば、受信、デマッピング、復調、復号の少なくとも１つ）、送信処理（例えば、送信、マッピング、プリコーディング、変調、符号化の少なくとも１つ）を制御することが検討されている。
【００１４】  ＴＣＩ状態は下りリンクの信号／チャネルに適用されるものを表してもよい。上りリンクの信号／チャネルに適用されるＴＣＩ状態に相当するものは、空間関係（spatial  relation）と表現されてもよい。
【００１５】  ＴＣＩ状態とは、信号／チャネルの疑似コロケーション（Quasi-Co-Location（ＱＣＬ））に関する情報であり、空間受信パラメータ、空間関係情報（Spatial  Relation  Information（ＳＲＩ））などと呼ばれてもよい。ＴＣＩ状態は、チャネルごと又は信号ごとにＵＥに設定されてもよい。
【００１６】  ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（Doppler  shift）、ドップラースプレッド（Doppler  spread）、平均遅延（average  delay）、遅延スプレッド（delay  spread）、空間パラメータ（spatial  parameter）（例えば、空間受信パラメータ（spatial  Rx  parameter））の少なくとも１つが同一である（これらの少なくとも１つに関してＱＣＬである）と仮定できることを意味してもよい。
【００１７】  なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００１８】  ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：  ・ＱＣＬタイプＡ：ドップラーシフト、ドップラースプレッド、平均遅延及び遅延スプレッド、  ・ＱＣＬタイプＢ：ドップラーシフト及びドップラースプレッド、  ・ＱＣＬタイプＣ：ドップラーシフト及び平均遅延、  ・ＱＣＬタイプＤ：空間受信パラメータ。
【００１９】  所定の制御リソースセット（Control  Resource  Set（ＣＯＲＥＳＥＴ））、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【００２０】  ＵＥは、信号／チャネルのＴＣＩ状態又はＱＣＬ想定に基づいて、当該信号／チャネルの送信ビーム（Ｔｘビーム）及び受信ビーム（Ｒｘビーム）の少なくとも１つを決定してもよい。
【００２１】  ＴＣＩ状態は、例えば、対象となるチャネル（又は当該チャネル用の参照信号（Reference  Signal（ＲＳ）））と、別の信号（例えば、別の下りリンク参照信号（Downlink  Reference  Signal（ＤＬ−ＲＳ）））とのＱＣＬに関する情報であってもよい。ＴＣＩ状態は、上位レイヤシグナリング、物理レイヤシグナリング又はこれらの組み合わせによって設定（指示）されてもよい。
【００２２】  本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００２３】  ＭＡＣシグナリングは、例えば、ＭＡＣ制御要素（MAC  Control  Element（ＭＡＣ  ＣＥ））、ＭＡＣ  Protocol  Data  Unit（ＰＤＵ）などを用いてもよい。ブロードキャスト情報は、例えば、マスタ情報ブロック（Master  Information  Block（ＭＩＢ））、システム情報ブロック（System  Information  Block（ＳＩＢ））、最低限のシステム情報（Remaining  Minimum  System  Information（ＲＭＳＩ））、その他のシステム情報（Other  System  Information（ＯＳＩ））などであってもよい。
【００２４】  物理レイヤシグナリングは、例えば、下り制御情報（Downlink  Control  Information（ＤＣＩ））であってもよい。
【００２５】  ＴＣＩ状態が設定（指定）されるチャネルは、例えば、下り共有チャネル（Physical  Downlink  Shared  Channel（ＰＤＳＣＨ））、下り制御チャネル（Physical  Downlink  Control  Channel（ＰＤＣＣＨ））、上り共有チャネル（Physical  Uplink  Shared  Channel（ＰＵＳＣＨ））、上り制御チャネル（Physical  Uplink  Control  Channel（ＰＵＣＣＨ））の少なくとも１つであってもよい。
【００２６】  また、当該チャネルとＱＣＬ関係となるＲＳ（ＤＬ−ＲＳ）は、例えば、同期信号ブロック（Synchronization  Signal  Block（ＳＳＢ））、チャネル状態情報参照信号（Channel  State  Information  Reference  Signal（ＣＳＩ−ＲＳ））、測定用参照信号（Sounding  Reference  Signal（ＳＲＳ））の少なくとも１つであってもよい。あるいはＤＬ−ＲＳは、トラッキング用に利用されるＣＳＩ−ＲＳ（Tracking  Reference  Signal（ＴＲＳ）とも呼ぶ）、又はＱＣＬ検出用に利用される参照信号（ＱＲＳとも呼ぶ）であってもよい。
【００２７】  ＳＳＢは、プライマリ同期信号（Primary  Synchronization  Signal（ＰＳＳ））、セカンダリ同期信号（Secondary  Synchronization  Signal（ＳＳＳ））及びブロードキャストチャネル（Physical  Broadcast  Channel（ＰＢＣＨ））の少なくとも１つを含む信号ブロックである。ＳＳＢは、ＳＳ／ＰＢＣＨブロックと呼ばれてもよい。
【００２８】  上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関係情報）及びＱＣＬタイプを示す情報（ＱＣＬタイプ情報）の少なくとも１つを含んでもよい。ＤＬ−ＲＳ関係情報は、ＤＬ−ＲＳのインデックス（例えば、ＳＳＢインデックス、ノンゼロパワーＣＳＩ−ＲＳ（Non-Zero-Power（ＮＺＰ）  CSI-RS）リソースＩＤ（Identifier））、ＲＳが位置するセルのインデックス、ＲＳが位置するBandwidth  Part（ＢＷＰ）のインデックスなどの情報を含んでもよい。
【００２９】＜ＰＤＣＣＨのためのＴＣＩ状態＞  ＰＤＣＣＨ（又はＰＤＣＣＨに関連する復調用参照信号（DeModulation  Reference  Signal（ＤＭＲＳ））アンテナポート）及び所定のＤＬ−ＲＳとのＱＣＬに関する情報は、ＰＤＣＣＨのためのＴＣＩ状態などと呼ばれてもよい。
【００３０】  ＵＥは、ＵＥ固有のＰＤＣＣＨ（ＣＯＲＥＳＥＴ）のためのＴＣＩ状態を、上位レイヤシグナリングに基づいて判断してもよい。例えば、ＵＥに対して、ＣＯＲＥＳＥＴごとに、１つ又は複数（Ｋ個）のＴＣＩ状態がＲＲＣシグナリングによって設定されてもよい。
【００３１】  ＵＥは、各ＣＯＲＥＳＥＴに対し、ＲＲＣシグナリングによって設定された複数のＴＣＩ状態の１つを、ＭＡＣ  ＣＥによってアクティベートされてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３２】＜ＰＤＳＣＨのためのＴＣＩ状態＞  ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３３】  ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３４】  ＰＤＳＣＨのスケジューリングに用いられるＤＣＩは、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００３５】  ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示す情報（TCI-PresentInDCI）であってもよい。当該情報は、例えば、上位レイヤシグナリングによってＵＥに設定されてもよい。
【００３６】  ８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００３７】（ＣＳＩ）  ＮＲにおいては、ＵＥは、所定の参照信号（又は、当該参照信号用のリソース）を用いてチャネル状態を測定し、チャネル状態情報（Channel  State  Information（ＣＳＩ））を基地局にフィードバック（報告）する。
【００３８】  ＵＥは、参照信号として、ＣＳＩ−ＲＳ、ＳＳ／ＰＢＣＨブロック、ＤＭＲＳなどを用いて、チャネル状態を測定してもよい。
【００３９】  ＣＳＩのフィードバック方法としては、周期的なＣＳＩ（Periodic  CSI（Ｐ−ＣＳＩ））報告、非周期的なＣＳＩ（Aperiodic  CSI（ＡＰ−ＣＳＩ又はＡ−ＣＳＩ））報告、セミパーシステントなＣＳＩ（Semi-Persistent  CSI（ＳＰ−ＣＳＩ））報告などが検討されている。
【００４０】  ＰＵＣＣＨを用いるＳＰ−ＣＳＩ報告（ＰＵＣＣＨベースＳＰ−ＣＳＩ報告）は、ＭＡＣ  ＣＥによってアクティベートされてもよい。ＰＵＳＣＨを用いるＳＰ−ＣＳＩ報告（ＰＵＳＣＨベースＳＰ−ＣＳＩ報告）、ＰＵＳＣＨ又はＰＵＣＣＨを用いるＡＰ−ＣＳＩ報告などは、ＤＣＩによってアクティベート（又はトリガ）されてもよい。
【００４１】  例えば、ＤＣＩに含まれるＣＳＩ要求フィールド（CSI  request  field）によって、上位レイヤシグナリング（例えば、ＲＲＣシグナリング）によって設定された複数のトリガ状態（trigger  state）から、１つのトリガ状態が指定されてもよい。なお、ＣＳＩ要求フィールドは、ＣＳＩトリガフィールドと互いに読み替えられてもよい。
【００４２】  ＡＰ−ＣＳＩ報告のために測定するＣＳＩ−ＲＳは、ＡＰ  ＣＳＩ−ＲＳ（又はＡ−ＣＳＩ−ＲＳ）（Aperiodic  CSI-RS）と呼ばれてもよい。ＡＰ−ＣＳＩ報告では、ＤＣＩを用いてＡＰ−ＣＳＩ−ＲＳの測定及びＡＰ−ＣＳＩ報告を同時にトリガするため、ＲＳリソース及び上りチャネルのリソースを効率的に使用しつつ、動的にＣＳＩ報告をトリガできる。
【００４３】  ＡＰ−ＣＳＩ報告用のトリガ状態のリストは、ＲＲＣ情報要素「CSI-AperiodicTriggerStateList」で設定されてもよい。各トリガ状態は、１つ又は複数の報告設定ＩＤ（CSI-ReportConfigId）、ＣＳＩリソース設定情報、ＡＰ−ＣＳＩ−ＲＳのＴＣＩ状態（又はＱＣＬ想定）などと関連付けられてもよい。
【００４４】  トリガ状態に関連するＣＳＩ−ＲＳリソースセットのＡＰ−ＣＳＩ−ＲＳリソースについて、ＵＥは、上位レイヤによってＱＣＬのＲＳリソース及びＱＣＬタイプを含むＱＣＬ設定を指示されてもよい。例えば、ＡＰ−ＣＳＩ−ＲＳのＴＣＩ状態（又はＱＣＬ想定）は、当該ＡＰ−ＣＳＩ−ＲＳの測定をトリガするＤＣＩ（のＣＳＩ要求フィールド）によって指定されてもよい。
【００４５】  ところで、ＤＣＩから当該ＤＣＩによって指示されたＡＰ  ＣＳＩ−ＲＳまでの期間は、上述のトリガ状態に関連して特定されてもよい。例えば、ＵＥは、トリガ状態に基づいて、測定対象のＣＳＩ−ＲＳリソースセットに対応するＣＳＩ−ＲＳリソースセットＩＤを決定する。このＣＳＩ−ＲＳリソースセットＩＤは、非周期トリガリングオフセット（aperiodic  triggering  offset）と関連付けられてもよい。非周期トリガリングオフセットは、スケジューリングオフセットで読み替えられてもよい。
【００４６】  スケジューリングオフセットは、ＡＰ  ＣＳＩ−ＲＳのリソースセットをトリガするＤＣＩを伝送するＰＤＣＣＨの最後のシンボル（又は当該ＰＤＣＣＨが含まれる最後のスロット）と、当該リソースセットのＡＰ−ＣＳＩ−ＲＳリソースの最初のシンボル（又はスロット）と、のオフセットを意味してもよい。ＡＰ  ＣＳＩ−ＲＳのスケジューリングオフセットとしては、例えば０以上４以下の値が設定されてもよいし、４より大きい値が設定されてもよい。ＡＰ  ＣＳＩ−ＲＳのスケジューリングオフセットの情報は、ＲＲＣパラメータの「aperiodicTriggeringOffset」に対応してもよい。
【００４７】  なお、本開示において、スケジューリングオフセットは、所定のＤＣＩ（ＰＤＣＣＨ）の受信（例えば、最後のシンボル）から当該ＤＣＩによってスケジュール（又はトリガ）される信号又はチャネルの開始（例えば、最初のシンボル）までの期間のことを意味してもよい。スケジューリングオフセットは、スケジュールのための期間、ＰＤＣＣＨからスケジュールされる信号／チャネルまでの期間などで読み替えられてもよい。
【００４８】  また、ビームスイッチングタイミングに関するＵＥ能力（UE  capability）が定義されることが検討されている。当該ＵＥ能力は、ＡＰ−ＣＳＩ−ＲＳビームスイッチングタイミング（AP-CSI-RS  beam  switching  timing）、単にビームスイッチングタイミング、ビームスイッチタイミング（ＲＲＣパラメータ「beamSwitchTiming」）などと呼ばれてもよい。
【００４９】  ビームスイッチタイミングは、ＡＰ  ＣＳＩ−ＲＳをトリガするＤＣＩと当該ＡＰ  ＣＳＩ−ＲＳの送信との間の最小の時間（例えば、ＯＦＤＭシンボル数）で定義されてもよい。ビームスイッチタイミングは、上記ＤＣＩを受信した最後のシンボルから当該ＤＣＩによってトリガされるＡＰ  ＣＳＩ−ＲＳの最初のシンボルまでの時間を示してもよい。ビームスイッチタイミングは、例えば、ＰＤＣＣＨの復号及びビーム切り替えにかかる遅延に基づいてもよい。
【００５０】  ビームスイッチタイミングは、第１の周波数帯（ＦＲ２：Frequency  Range  2）及び第２の周波数帯（ＦＲ２：Frequency  Range  2）の少なくとも一方に適用されてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られない。
【００５１】  ビームスイッチタイミングは、サブキャリア間隔（例えば、６０ｋＨｚ、１２０ｋＨｚ）ごとに異なる値をとってもよい。
【００５２】  ビームスイッチタイミングは、例えば、１４、２８、４８、２２４、３３６シンボルなどの値を取り得る。３３６シンボルという比較的大きな値は、ＵＥがマルチパネルを搭載するケースにおいて、ＡＰ  ＣＳＩ−ＲＳを受信するパネルの電源をオフからオンにするための時間を考慮して検討された。アクティベートされていないビームのパネルはＵＥが電源をオフしても良いためである。
【００５３】  これまで検討されているＮＲの仕様では、ＡＰ−ＣＳＩ−ＲＳのスケジューリングオフセットが、ＵＥの報告したビームスイッチタイミング以上である場合であって、当該報告したビームスイッチタイミングの値が１４、２８及び４８のいずれかである場合、ＵＥは、ＤＣＩのＣＳＩトリガ（要求）フィールドによって指定されるＣＳＩトリガ状態におけるＡＰ−ＣＳＩ−ＲＳリソースのための指定されたＴＣＩ状態のＱＣＬ想定を適用すると予期してもよい（the  UE  is  expected  to  apply  the  QCL  assumptions  in  the  indicated  TCI  states  for  the  aperiodic  CSI-RS  resources  in  the  CSI  triggering  state  indicated  by  the  CSI  trigger  field  in  DCI）。つまり、この場合、ＵＥは、ＤＣＩによって指定されたＴＣＩ状態に基づいてＡＰ−ＣＳＩ−ＲＳを受信してもよい。
【００５４】  また、ＡＰ−ＣＳＩ−ＲＳのスケジューリングオフセットが、ＵＥの報告したビームスイッチタイミング未満である場合であって、当該報告したビームスイッチタイミングの値が１４、２８及び４８のいずれかである場合、当該ＡＰ−ＣＳＩ−ＲＳと同じシンボルにおいて、指示されたＴＣＩ状態を有する他のＤＬ信号があれば、当該ＵＥは、ＡＰ−ＣＳＩ−ＲＳの受信の際に、当該他のＤＬ信号のＱＣＬ想定を適用してもよい。これは、ＡＰ−ＣＳＩ−ＲＳのＴＣＩ状態を当該ＡＰ−ＣＳＩ−ＲＳをトリガするＤＣＩによって制御しないという仕様になっている。ＤＣＩを復調してからＵＥの受信ビームの切り替えには時間がかかり、ＡＰ−ＣＳＩ−ＲＳの受信までに間に合わないためである。
【００５５】  なお、ここでの他のＤＬ信号は、所定の閾値（ＵＥ能力情報「timeDurationForQCL」）以上のスケジューリングオフセットを有するＰＤＳＣＨ（つまり、ＤＣＩの受信から当該ＤＣＩによってスケジュールされるＰＤＳＣＨの受信開始までのオフセットが当該所定の閾値以上）、ＵＥが報告した１４、２８及び４８のいずれかのビームスイッチタイミング以上のスケジューリングオフセットを有するＡＰ−ＣＳＩ−ＲＳ（つまり、別のＡＰ−ＣＳＩ−ＲＳ）、Ｐ−ＣＳＩ−ＲＳ、ＳＰ−ＣＳＩ−ＲＳの少なくとも１つであってもよい。
【００５６】  timeDurationForQCLは、ＵＥがＰＤＣＣＨを受信し、当該ＰＤＣＣＨ（ＤＣＩ）の空間ＱＣＬ情報をＰＤＳＣＨ処理のために適用する最小の時間（例えば、ＯＦＤＭシンボル数）で定義されてもよい。ビームスイッチタイミングは、上記ＤＣＩを受信した最後のシンボルから当該ＤＣＩによってトリガされるＡＰ  ＣＳＩ−ＲＳの最初のシンボルまでの時間を示してもよい。timeDurationForQCLは、物理レイヤパラメータとしてはThreshold-Sched-Offsetと呼ばれてもよい。timeDurationForQCLは、例えば７、１４、２８シンボルなどの値をとり得る。
【００５７】  なお、ＡＰ−ＣＳＩ−ＲＳに対して上述の他のＤＬ信号のＱＣＬ想定を適用可能なのは、当該ＡＰ−ＣＳＩ−ＲＳリソースを規定するＮＺＰ  ＣＳＩ−ＲＳリソースセットが上位レイヤパラメータ「trs-Info」及び「repetition」を有しない場合に限定されてもよい。
【００５８】  trs-Infoがtrueに設定されるＮＺＰ  ＣＳＩ−ＲＳリソースセットは、当該リソースセットの全てのＮＺＰ  ＣＳＩ−ＲＳリソースのアンテナポートが同じであってもよい。Repetitionがoffに設定されるＮＺＰ  ＣＳＩ−ＲＳリソースセットは、当該リソースセット内のＮＺＰ  ＣＳＩ−ＲＳリソースが同じ下りリンク空間ドメイン送信フィルタで送信されるとＵＥによって想定されなくてもよい。
【００５９】  図１は、ＡＰ  ＣＳＩ−ＲＳのＱＣＬ想定の一例を示す図である。図１には、ＤＣＩ１がＡＰ−ＣＳＩ−ＲＳをスケジュール（トリガ）し、ＤＣＩ０が当該ＡＰ−ＣＳＩ−ＲＳと同じシンボルの他のＤＬ信号をスケジュールする例が示されている。ＵＥは、ビームスイッチタイミングの値として１４、２８及び４８のいずれかをＵＥ能力情報に含めてネットワークに報告した。
【００６０】  図１において、ＤＣＩ１及びＡＰ  ＣＳＩ−ＲＳのスケジューリングオフセット１は、ビームスイッチタイミングより小さい。一方で、ＤＣＩ０及び他のＤＬ信号のスケジューリングオフセット０は、閾値以上である。この場合、ＵＥは、ＡＰ  ＣＳＩ−ＲＳの受信に当該他のＤＬ信号のＱＣＬ想定を適用してもよい。
【００６１】  なお、図１のＤＣＩ０及びＤＣＩ１の受信タイミングはこれに限られない。本開示の各実施形態は、ＡＰ−ＣＳＩ−ＲＳをスケジュールするＤＣＩと他のＤＬ信号をスケジュールするＤＣＩの受信タイミングが同じ場合にも適用可能である。
【００６２】  なお、本開示において、他のＤＬ信号に関する閾値は、当該他のＤＬ信号がＡＰ−ＣＳＩ−ＲＳの場合にはビームスイッチタイミングに該当し、当該他のＤＬ信号がＰＤＳＣＨの場合にはＵＥが報告したtimeDurationForQCLの値に該当してもよい。
【００６３】  しかしながら、これまで説明した現状のＮＲ仕様では、ＡＰ−ＣＳＩ−ＲＳのスケジューリングオフセットが、ＵＥの報告したビームスイッチタイミング未満である場合であって、当該報告したビームスイッチタイミングの値が１４、２８及び４８のいずれかである場合の全てのケースに対応できていない。このため、現状のＮＲ仕様に従う場合には、ＡＰ−ＣＳＩ−ＲＳのＴＣＩ状態（ＱＣＬ想定）を適切に決定してＣＳＩを測定することができないケースがあり、通信スループットの増大が抑制されるおそれがある。
【００６４】  そこで、本発明者らは、ＡＰ−ＣＳＩ−ＲＳのＴＣＩ状態（ＱＣＬ想定）を適切に決定する方法を着想した。
【００６５】  以下、本開示に係る実施形態について、図面を参照して詳細に説明する。各実施形態に係る無線通信方法は、それぞれ単独で適用されてもよいし、組み合わせて適用されてもよい。
【００６６】  なお、本開示において、パネル、Uplink（ＵＬ）送信エンティティ、ＴＲＰ、復調用参照信号（DeModulation  Reference  Signal（ＤＭＲＳ））ポート、ＤＭＲＳポートグループ、符号分割多重（Code  Division  Multiplexing（ＣＤＭ））グループ、ＰＤＳＣＨ、コードワード、基地局などは、互いに読み替えられてもよい。また、パネルIdentifier（ＩＤ）とパネルは互いに読み替えられてもよい。ＴＲＰ  ＩＤとＴＲＰは互いに読み替えられてもよい。また、ＩＤとインデックスは互いに読み替えられてもよい。
【００６７】  また、本開示においては、ＵＥが報告したビームスイッチタイミングの値は１４、２８及び４８のいずれかである場合を想定するが、この値は例えば１００未満の値で読み替えられてもよい。
【００６８】（無線通信方法）＜第１の実施形態＞  第１の実施形態では、ＡＰ−ＣＳＩ−ＲＳのスケジューリングオフセットが、ＵＥの報告したビームスイッチタイミング未満である場合であって、当該ＡＰ−ＣＳＩ−ＲＳと同じシンボルにおいて、指示されたＴＣＩ状態を有する他のＤＬ信号（例えば、ＰＤＳＣＨ、ＡＰ−ＣＳＩ−ＲＳ、Ｐ−ＣＳＩ−ＲＳ、ＳＰ−ＣＳＩ−ＲＳ）がないケースを説明する。
【００６９】  このケースにおいて、ＵＥは、当該ＡＰ  ＣＳＩ−ＲＳのＱＣＬ想定が、サービングセルのアクティブＢＷＰ内の１つ以上のＣＯＲＥＳＥＴがＵＥによってモニタされる最新のスロットにおいて最小のＣＯＲＥＳＥＴ−ＩＤを有し、モニタされるサーチスペース（monitored  search  space）に関連付けられたＣＯＲＥＳＥＴから導出されると想定してもよい。
【００７０】  当該ＡＰ−ＣＳＩ−ＲＳと同じシンボルにおいて、指示されたＴＣＩ状態を有する他のＤＬ信号がない場合には、ＵＥは、当該ＵＥによってサービングセルのアクティブＢＷＰ内の１つ以上のＣＯＲＥＳＥＴがモニタされる最新のスロットにおいて最小のＣＯＲＥＳＥＴ−ＩＤを有し、モニタされるサーチスペースに関連付けられたＣＯＲＥＳＥＴのＱＣＬ想定を、当該ＡＰ−ＣＳＩ−ＲＳに適用してもよい（if  there  is  no  any  other  DL  signal  with  an  indicated  TCI  state  in  the  same  symbols  as  the  CSI-RS,  the  UE  applies  the  QCL  assumption  of  the  CORESET  associated  with  a  monitored  search  space  with  the  lowest  CORESET-ID  in  the  latest  slot  in  which  one  or  more  CORESETs  within  the  active  BWP  of  the  serving  cell  are  monitored  by  the  UE）。
【００７１】  当該ＡＰ−ＣＳＩ−ＲＳと同じシンボルにおいて、指示されたＴＣＩ状態を有する他のＤＬ信号がない場合には、ＵＥは、サービングセルの当該ＡＰ−ＣＳＩ−ＲＳが、ＵＥによって当該サービングセルのアクティブＢＷＰ内の１つ以上のＣＯＲＥＳＥＴがモニタされる最新のスロットにおいて最小のＣＯＲＥＳＥＴ−ＩＤを有し、モニタされるサーチスペースに関連付けられたＣＯＲＥＳＥＴの、ＰＤＣＣＨのＱＣＬの指示に用いられるＱＣＬパラメータに関するＴＣＩ状態の参照信号（ＲＳ）とＱＣＬであると想定してもよい（if  there  is  no  any  other  DL  signal  with  an  indicated  TCI  state  in  the  same  symbols  as  the  CSI-RS,  the  UE  may  assume  that  the  A-CSI-RS  of  a  serving  cell  are  quasi  co-located  with  the  RS(s)  in  the  TCI  state  with  respect  to  the  QCL  parameter(s)  used  for  PDCCH  quasi  co-location  indication  of  the  CORESET  associated  with  a  monitored  search  space  with  the  lowest  CORESET-ID  in  the  latest  slot  in  which  one  or  more  CORESETs  within  the  active  BWP  of  the  serving  cell  are  monitored  by  the  UE）。
【００７２】  なお、当該ＡＰ−ＣＳＩ−ＲＳと同じシンボルにおいて、指示されたＴＣＩ状態を有する他のＤＬ信号として、所定の閾値（ＵＥ能力情報「timeDurationForQCL」）以上のスケジューリングオフセットを有するＰＤＳＣＨ、ＵＥが報告した１４、２８及び４８のいずれかのビームスイッチタイミング以上のスケジューリングオフセットを有するＡＰ−ＣＳＩ−ＲＳ、Ｐ−ＣＳＩ−ＲＳ、ＳＰ−ＣＳＩ−ＲＳのいずれもがない場合に、ＵＥは、上記ＣＯＲＥＳＥＴのＱＣＬ想定を、当該ＡＰ−ＣＳＩ−ＲＳに適用してもよい。
【００７３】  なお、本開示において、ＣＯＲＥＳＥＴ−ＩＤは、ＲＲＣ情報要素「ControlResourceSet」によって設定されるＩＤ（ＣＯＲＥＳＥＴの識別のためのＩＤ）であってもよい。また、本開示において、「最小のＣＯＲＥＳＥＴ−ＩＤ」は、特定のＣＯＲＥＳＥＴ−ＩＤ（例えば、最小のＣＯＲＥＳＥＴ−ＩＤ、最大のＣＯＲＥＳＥＴ−ＩＤ）で読み替えられてもよい。
【００７４】  また、本開示において、「最新のスロット（latest  slot）」は、スケジュールされるＡＰ−ＣＳＩ−ＲＳを受信するタイミングから最新のスロットを意味してもよいし、ＡＰ−ＣＳＩ−ＲＳをスケジュールするＤＣＩ（ＰＤＣＣＨ）を受信するタイミングから最新のスロットを意味してもよい。あるいは、ＵＥは、ＡＰ−ＣＳＩ−ＲＳのＱＣＬ想定を決定する際に、最新のスロットに限られず、任意のスロットにおける特定のＣＯＲＥＳＥＴ−ＩＤに対応するＣＯＲＥＳＥＴを利用してもよい。例えば、「サービングセルのアクティブＢＷＰ内の１つ以上のＣＯＲＥＳＥＴがモニタされる最新のスロットにおいて最小のＣＯＲＥＳＥＴ−ＩＤを有し、モニタされるサーチスペースに関連付けられたＣＯＲＥＳＥＴ」は、スロットに制限されない「特定のＣＯＲＥＳＥＴ」（例えば、特定のＣＯＲＥＳＥＴ−ＩＤのＣＯＲＥＳＥＴ）で読み替えられてもよい。
【００７５】  図２は、第１の実施形態に係るＡＰ  ＣＳＩ−ＲＳのＱＣＬ想定の一例を示す図である。図２には、ＤＣＩ１がＡＰ−ＣＳＩ−ＲＳをスケジュール（トリガ）する例が示されている。
【００７６】  図２において、ＤＣＩ１及びＡＰ  ＣＳＩ−ＲＳのスケジューリングオフセット１は、ビームスイッチタイミングより小さい。また、ＡＰ−ＣＳＩ−ＲＳと同じシンボルにおいて、指示されたＴＣＩ状態を有する他のＤＬ信号はない。この場合、ＵＥは、ＡＰ  ＣＳＩ−ＲＳの受信に、上述の最新のスロットにおける最小のＣＯＲＥＳＥＴ−ＩＤを有し、モニタされるサーチスペースに関連付けられたＣＯＲＥＳＥＴのＱＣＬ想定を適用してもよい。
【００７７】  以上説明した第１の実施形態によれば、ＡＰ  ＣＳＩ−ＲＳに関するスケジューリングオフセットがビームスイッチタイミングより小さく、かつ指示されたＴＣＩ状態を有する他のＤＬ信号がない場合であっても、ＡＰ  ＣＳＩ−ＲＳのＱＣＬ想定を、所定のＣＯＲＥＳＥＴに基づいて決定し、当該ＱＣＬ想定を利用してＡＰ  ＣＳＩ−ＲＳの受信を好適に実施できる。
【００７８】＜第２の実施形態＞  第２の実施形態では、ＡＰ−ＣＳＩ−ＲＳのスケジューリングオフセットが、ＵＥの報告したビームスイッチタイミング未満である場合であって、当該ＡＰ−ＣＳＩ−ＲＳと同じシンボルにおいて、指示されたＴＣＩ状態を有しない他のＤＬ信号がある（if  there  is  any  other  DL  signal  without  an  indicated  TCI  state）ケースを説明する。
【００７９】  なお、「指示されたＴＣＩ状態を有しない他のＤＬ信号」は、所定の閾値（ＵＥ能力情報「timeDurationForQCL」）より小さいスケジューリングオフセットを有するＰＤＳＣＨ及び、ＵＥが報告した１４、２８及び４８のいずれかのビームスイッチタイミングより小さいスケジューリングオフセットを有するＡＰ−ＣＳＩ−ＲＳの少なくとも一方で読み替えられてもよい。
【００８０】  このケースにおいて、ＵＥは、当該ＡＰ  ＣＳＩ−ＲＳのＱＣＬ想定が、サービングセルのアクティブＢＷＰ内の１つ以上のＣＯＲＥＳＥＴがＵＥによってモニタされる最新のスロットにおいて最小のＣＯＲＥＳＥＴ−ＩＤを有し、モニタされるサーチスペースに関連付けられたＣＯＲＥＳＥＴから導出されると想定してもよい。
【００８１】  当該ＡＰ−ＣＳＩ−ＲＳと同じシンボルにおいて、指示されたＴＣＩ状態を有しない他のＤＬ信号がある場合には、ＵＥは、当該ＵＥによってサービングセルのアクティブＢＷＰ内の１つ以上のＣＯＲＥＳＥＴがモニタされる最新のスロットにおいて最小のＣＯＲＥＳＥＴ−ＩＤを有し、モニタされるサーチスペースに関連付けられたＣＯＲＥＳＥＴのＱＣＬ想定を、当該ＡＰ−ＣＳＩ−ＲＳに適用してもよい。
【００８２】  当該ＡＰ−ＣＳＩ−ＲＳと同じシンボルにおいて、指示されたＴＣＩ状態を有しない他のＤＬ信号がある場合には、ＵＥは、サービングセルの当該ＡＰ−ＣＳＩ−ＲＳが、ＵＥによって当該サービングセルのアクティブＢＷＰ内の１つ以上のＣＯＲＥＳＥＴがモニタされる最新のスロットにおいて最小のＣＯＲＥＳＥＴ−ＩＤを有し、モニタされるサーチスペースに関連付けられたＣＯＲＥＳＥＴの、ＰＤＣＣＨのＱＣＬの指示に用いられるＱＣＬパラメータに関するＴＣＩ状態の参照信号（ＲＳ）とＱＣＬであると想定してもよい。
【００８３】  図３は、第２の実施形態に係るＡＰ  ＣＳＩ−ＲＳのＱＣＬ想定の一例を示す図である。図３には、ＤＣＩ１がＡＰ−ＣＳＩ−ＲＳをスケジュール（トリガ）し、ＤＣＩ０が当該ＡＰ−ＣＳＩ−ＲＳと同じシンボルの他のＤＬ信号をスケジュールする例が示されている。
【００８４】  図３において、ＤＣＩ１及びＡＰ  ＣＳＩ−ＲＳのスケジューリングオフセット１は、ビームスイッチタイミングより小さい。また、ＤＣＩ０及び他のＤＬ信号のスケジューリングオフセット０は、閾値より小さい。この場合、ＵＥは、ＡＰ  ＣＳＩ−ＲＳの受信に、上述の最新のスロットにおける最小のＣＯＲＥＳＥＴ−ＩＤを有し、モニタされるサーチスペースに関連付けられたＣＯＲＥＳＥＴのＱＣＬ想定を適用してもよい。
【００８５】  以上説明した第２の実施形態によれば、ＡＰ  ＣＳＩ−ＲＳに関するスケジューリングオフセットがビームスイッチタイミングより小さく、かつ指示されたＴＣＩ状態を有しない他のＤＬ信号がある場合であっても、ＡＰ  ＣＳＩ−ＲＳのＱＣＬ想定を、所定のＣＯＲＥＳＥＴに基づいて決定し、当該ＱＣＬ想定を利用してＡＰ  ＣＳＩ−ＲＳの受信を好適に実施できる。
【００８６】＜第３の実施形態＞  第３の実施形態では、ＡＰ−ＣＳＩ−ＲＳのスケジューリングオフセットが、ＵＥの報告したビームスイッチタイミング未満である場合であって、当該ＡＰ−ＣＳＩ−ＲＳと同じシンボルにおいて、他のＤＬ信号があるケースを説明する。
【００８７】  このケースにおいて、ＵＥは、当該他のＤＬ信号が指示されたＴＣＩ状態を有するか有しないかに関わらず、ＡＰ−ＣＳＩ−ＲＳの受信の際に、当該他のＤＬ信号のＱＣＬ想定を適用してもよい。
【００８８】  当該ＡＰ−ＣＳＩ−ＲＳと同じシンボルにおいて、指示されたＴＣＩ状態を有する又は有しないに関係なく、他のＤＬ信号がある場合には、ＵＥは、当該ＡＰ−ＣＳＩ−ＲＳの受信の際に、当該他のＤＬ信号のＱＣＬ想定を適用してもよい（if  there  is  any  other  DL  signal  regardless  with  or  without  an  indicated  TCI  state  in  the  same  symbols  as  the  CSI-RS,  the  UE  applies  the  QCL  assumption  of  the  other  DL  signal  also  when  receiving  the  aperiodic  CSI-RS）。
【００８９】  つまり、第３の実施形態における「他のＤＬ信号」は、所定の閾値（例えば、ＵＥ能力情報「timeDurationForQCL」）以上のスケジューリングオフセットを有するか有しないかに関係ないＰＤＳＣＨ及び、ＵＥが報告した１４、２８及び４８のいずれかのビームスイッチタイミング以上のスケジューリングオフセットを有するか有しないかに関係ないＡＰ−ＣＳＩ−ＲＳ、Ｐ−ＣＳＩ−ＲＳ、ＳＰ−ＣＳＩ−ＲＳの少なくとも１つで読み替えられてもよい。
【００９０】  ここで、所定の閾値以上のスケジューリングオフセットを有するか有しないかに関係ないＰＤＳＣＨは、所定の閾値より小さいか否かに関係ないスケジューリングオフセットを有するＰＤＳＣＨで読み替えられてもよい。また、ＵＥが報告した上記ビームスイッチタイミング以上のスケジューリングオフセットを有するか有しないかに関係ないＡＰ−ＣＳＩ−ＲＳは、上記ビームスイッチタイミングより小さいか否かに関係ないスケジューリングオフセットを有するＡＰ−ＣＳＩ−ＲＳで読み替えられてもよい。
【００９１】  第３の実施形態を採用する場合、これまでのＮＲ仕様に規定された「指示されたＴＣＩ状態を有する他のＤＬ信号」を単に「他のＤＬ信号」として、当該他のＤＬ信号は、ＰＤＳＣＨ、ＡＰ−ＣＳＩ−ＲＳ、Ｐ−ＣＳＩ−ＲＳ及びＳＰ−ＣＳＩ−ＲＳを参照すると規定してもよい。つまり、他のＤＬ信号としてのＰＤＳＣＨ及びＡＰ−ＣＳＩ−ＲＳから、スケジューリングオフセットの限定をなくしてもよい。
【００９２】  以上説明した第３の実施形態によれば、ＡＰ  ＣＳＩ−ＲＳに関するスケジューリングオフセットがビームスイッチタイミングより小さく、かつ他のＤＬ信号がある場合には、当該他のＤＬ信号が指示されたＴＣＩ状態を有するか有しないかに関わらず、当該ＡＰ  ＣＳＩ−ＲＳのＱＣＬ想定を、当該他のＤＬ信号に基づいて決定し、当該ＱＣＬ想定を利用してＡＰ  ＣＳＩ−ＲＳの受信を好適に実施できる。
【００９３】＜その他の実施形態＞  また、上述の各実施形態では、ＵＥが、ＡＰ−ＣＳＩ−ＲＳに対して、最新のスロットにおいて最小のＣＯＲＥＳＥＴ−ＩＤを有する所定のＣＯＲＥＳＥＴのＱＣＬ想定を適用する例を示した。この「最新のスロットにおいて最小のＣＯＲＥＳＥＴ−ＩＤを有する所定のＣＯＲＥＳＥＴ」は、当該ＡＰ−ＣＳＩ−ＲＳをトリガ（スケジュール）するＤＣＩ（ＰＤＣＣＨ）（又は当該ＰＤＣＣＨを含むＣＯＲＥＳＥＴ）で読み替えられてもよい。
【００９４】  なお、ＡＰ−ＣＳＩ−ＲＳのビームスイッチタイミングと、他のＤＬ信号がＡＰ−ＣＳＩ−ＲＳであるときの当該他のＤＬ信号の閾値（ビームスイッチタイミング）と、は異なる値であってもよい。例えば、ＡＰ−ＣＳＩ−ＲＳと他のＤＬ信号が異なるセル又は異なるパネルを用いて送信又は受信される場合には、これらのビームスイッチタイミングは異なってもよい。
【００９５】  上述の各実施形態及び現状のＮＲ仕様では、いくつか、ＡＰ  ＣＳＩ−ＲＳのＱＣＬ想定を、当該ＡＰ−ＣＳＩ−ＲＳと同じシンボルの他のＤＬ信号に基づいて決定する構成を示した。上述の各実施形態及び現状のＮＲ仕様の少なくとも１つに関して述べたＡＰ  ＣＳＩ−ＲＳのＱＣＬ想定を当該他のＤＬ信号に基づいて決定するための条件に、以下の（Ａ）−（Ｃ）の少なくとも１つが加えられてもよい：  （Ａ）ＡＰ−ＣＳＩ−ＲＳと他のＤＬ信号の時間リソースが、少なくとも１シンボル重複する（又は一致する）、  （Ｂ）ＡＰ−ＣＳＩ−ＲＳと他のＤＬ信号の時間リソースが、当該ＡＰ−ＣＳＩ−ＲＳの全シンボルにおいて重複する（又は一致する）、  （Ｃ）ＡＰ−ＣＳＩ−ＲＳと他のＤＬ信号の時間リソースが、当該他のＤＬ信号の全シンボルにおいて重複する（又は一致する）。
【００９６】  つまり、上記（Ａ）−（Ｃ）の少なくとも１つをさらに満たす場合に、ＵＥは、ＡＰ  ＣＳＩ−ＲＳのＱＣＬ想定を、当該ＡＰ−ＣＳＩ−ＲＳと同じシンボルの他のＤＬ信号に基づいて決定し、そうでない場合には、デフォルトのＱＣＬ想定であると想定してもよい。ここで、当該デフォルトのＱＣＬ想定は、サービングセルのアクティブＢＷＰ内の１つ以上のＣＯＲＥＳＥＴがモニタされる最新のスロットにおいて最小のＣＯＲＥＳＥＴ−ＩＤを有し、モニタされるサーチスペースに関連付けられたＣＯＲＥＳＥＴに適用するＱＣＬ想定であってもよい。
【００９７】  上記（Ｂ）は、例えば、当該ＡＰ−ＣＳＩ−ＲＳの時間リソースが当該他のＤＬ信号の時間リソースより長い場合には、満たされない。上記（Ｃ）は、例えば、当該ＡＰ−ＣＳＩ−ＲＳの時間リソースが当該他のＤＬ信号の時間リソースより短い場合には、満たされない。
【００９８】  これらの条件を考慮することによって、例えばＡＰ−ＣＳＩ−ＲＳと同じシンボルにおいて他のＤＬ信号を複数受信するような場合において、より適当な他のＤＬ信号とのＱＣＬ想定をＡＰ−ＣＳＩ−ＲＳに適用できる。
【００９９】（無線通信システム）  以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１００】  図４は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１０１】  また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１０２】  ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１０３】  無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１０４】  無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１０５】  ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１０６】  各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１０７】  また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１０８】  複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１０９】  基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１１０】  ユーザ端末２０は、ＬＴＥ、ＬＴＥ−Ａ、５Ｇなどの通信方式の少なくとも１つに対応した端末であってもよい。
【０１１１】  無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１１２】  無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１３】  無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１１４】  また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１１５】  ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１１６】  ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１１７】  なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１１８】  ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１１９】  １つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１２０】  ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１２１】  なお、本開示において下りリンク、上りリンクなどは「リンク」を付けずに表現されてもよい。また、各種チャネルの先頭に「物理（Physical）」を付けずに表現されてもよい。
【０１２２】  無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１２３】  同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１２４】  また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１２５】（基地局）  図５は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１２６】  なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１２７】  制御部１１０は、基地局１０全体の制御を実施する。制御部１１０は、本開示に係る技術分野での共通認識に基づいて説明されるコントローラ、制御回路などから構成することができる。
【０１２８】  制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１２９】  送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１３０】  送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１３１】  送受信アンテナ１３０は、本開示に係る技術分野での共通認識に基づいて説明されるアンテナ、例えばアレイアンテナなどから構成することができる。
【０１３２】  送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３３】  送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３４】  送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１３５】  送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１３６】  送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１３７】  一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１３８】  送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１３９】  送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１４０】  伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１４１】  なお、本開示における基地局１０の送信部及び受信部は、送受信部１２０、送受信アンテナ１３０及び伝送路インターフェース１４０の少なくとも１つによって構成されてもよい。
【０１４２】  なお、送受信部１２０は、ユーザ端末２０に対して、ＡＰ−ＣＳＩ−ＲＳ、他のＤＬ信号などを送信してもよい。
【０１４３】（ユーザ端末）  図６は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４４】  なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１４５】  制御部２１０は、ユーザ端末２０全体の制御を実施する。制御部２１０は、本開示に係る技術分野での共通認識に基づいて説明されるコントローラ、制御回路などから構成することができる。
【０１４６】  制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１４７】  送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１４８】  送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１４９】  送受信アンテナ２３０は、本開示に係る技術分野での共通認識に基づいて説明されるアンテナ、例えばアレイアンテナなどから構成することができる。
【０１５０】  送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５１】  送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５２】  送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５３】  送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５４】  なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１５５】  送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１５６】  一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１５７】  送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５８】  送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１５９】  なお、本開示におけるユーザ端末２０の送信部及び受信部は、送受信部２２０及び送受信アンテナ２３０の少なくとも１つによって構成されてもよい。
【０１６０】  なお、制御部２１０は、非周期チャネル状態情報参照信号（Aperiodic  Channel  State  Information-Reference  Signal（ＡＰ  ＣＳＩ−ＲＳ））のQuasi-Co-Location（ＱＣＬ）想定を、以下の（１）及び（２）の条件が両方満たされる場合に、特定の制御リソースセット（COntrol  REsource  SET（ＣＯＲＥＳＥＴ））に基づいて決定してもよい。
【０１６１】  ここで、（１）前記ＡＰ−ＣＳＩ−ＲＳをスケジュールする下りリンク制御情報（ＤＣＩ）を伝送する下りリンク制御チャネル（ＰＤＣＣＨ）の受信と、前記ＡＰ  ＣＳＩ−ＲＳの受信との間のスケジューリングオフセットが、報告したビームスイッチのための期間の値（例えば、ＲＲＣパラメータ「beamSwitchTiming」の値であって、１４、２８、４８のいずれか）より小さい、  （２）前記ＡＰ−ＣＳＩ−ＲＳと同じシンボルにおいて、指示されたTransmission  Configuration  Indication  state（ＴＣＩ状態）を有する他の下りリンク信号（ＤＬ信号）がない、又は指示されたＴＣＩ状態を有しない他の下りリンク信号がある。
【０１６２】  上記特定の制御リソースセットは、最新のスロットにおける特定のＣＯＲＥＳＥＴ（例えば、最新のスロットにおける最小のＣＯＲＥＳＥＴ−ＩＤのＣＯＲＥＳＥＴ）であってもよいし、所定のスロットにおける特定のＣＯＲＥＳＥＴ、任意のスロットにおける特定のＣＯＲＥＳＥＴ（例えば、設定されたＣＯＲＥＳＥＴのうち、最小のＣＯＲＥＳＥＴ−ＩＤのＣＯＲＥＳＥＴ、特定のＴＣＩ状態又はＱＣＬ想定のＣＯＲＥＳＥＴ）であってもよい。
【０１６３】  送受信部２２０は、上記ＣＯＲＥＳＥＴに基づくＱＣＬ想定を用いて前記ＡＰ−ＣＳＩ−ＲＳを受信してもよい。
【０１６４】  なお、前記指示されたＴＣＩ状態を有しない他の下りリンク信号は、所定の閾値より小さいスケジューリングオフセットを有するPhysical  Downlink  Shared  Channel（ＰＤＳＣＨ）、及び前記ビームスイッチのための期間より小さいスケジューリングオフセットを有するＡＰ−ＣＳＩ−ＲＳの少なくとも一方であってもよい。
【０１６５】  なお、制御部２１０は、ＡＰ  ＣＳＩ−ＲＳのＱＣＬ想定を、上記（１）及び（２）の条件が両方満たされる場合に、ＰＤＳＣＨのデフォルトのＱＣＬ想定に従って決定してもよい。
【０１６６】  本開示のビームスイッチタイミングは、所定の閾値（例えば、timeDurationForQCLとは別の閾値）と表現されてもよい。
【０１６７】（ハードウェア構成）  なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１６８】  ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１６９】  例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７０】  なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１７１】  例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７２】  基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７３】  プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１７４】  また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７５】  メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７６】  ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７７】  通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１７８】  入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１７９】  また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８０】  また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８１】（変形例）  なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１８２】  無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８３】  ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８４】  スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１８５】  スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８６】  無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８７】  例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８８】  ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８９】  ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９０】  なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９１】  １ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９２】  なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９３】  リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９４】  また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９５】  なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９６】  また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０１９７】  帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９８】  ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０１９９】  設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２００】  なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２０１】  また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０２】  本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２０３】  本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０４】  また、情報、信号などは、上位レイヤから下位レイヤ及び下位レイヤから上位レイヤの少なくとも一方へ出力され得る。情報、信号などは、複数のネットワークノードを介して入出力されてもよい。
【０２０５】  入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０６】  情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２０７】  なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２０８】  また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０９】  判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１０】  ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１１】  また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１２】  本開示において使用する「システム」及び「ネットワーク」という用語は、互換的に使用され得る。「ネットワーク」は、ネットワークに含まれる装置（例えば、基地局）のことを意味してもよい。
【０２１３】  本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２１４】  本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１５】  基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１６】  本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２１７】  移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１８】  基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２１９】  また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２０】  同様に、本開示におけるユーザ端末は、基地局で読み替えてもよい。この場合、上述のユーザ端末２０が有する機能を基地局１０が有する構成としてもよい。
【０２２１】  本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２２２】  本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２３】  本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２４】  本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２５】  本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２６】  本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２２７】  また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２８】  また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２９】  また、「判断（決定）」は、「想定する（assuming）」、「期待する（expecting）」、「みなす（considering）」などで読み替えられてもよい。
【０２３０】  本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３１】  本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３２】  本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３３】  本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３４】  本開示において、例えば、英語でのa,  an及びtheのように、翻訳によって冠詞が追加された場合、本開示は、これらの冠詞の後に続く名詞が複数形であることを含んでもよい。
【０２３５】  以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020170449.tif 000003
【図２】
2020170449.tif 000004
【図３】
2020170449.tif 000005
【図４】
2020170449.tif 000006
【図５】
2020170449.tif 000007
【図６】
2020170449.tif 000008
【図７】
2020170449.tif 000009
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
非周期チャネル状態情報参照信号（ＡＰ−ＣＳＩ−ＲＳ）のQuasi-Co-Location（ＱＣＬ）想定を、以下の（１）及び（２）の条件が両方満たされる場合に、１つ以上の制御リソースセット（ＣＯＲＥＳＥＴ）がモニタされるスロットにおけるＣＯＲＥＳＥＴ−ＩＤのうち最小のＣＯＲＥＳＥＴ−ＩＤに対応するＣＯＲＥＳＥＴに基づいて決定する、ここで、
（１）前記ＡＰ−ＣＳＩ−ＲＳをスケジュールする下りリンク制御情報を伝送する下りリンク制御チャネルの受信と、前記ＡＰ−ＣＳＩ−ＲＳの受信との間のスケジューリングオフセットが、報告したビームスイッチタイミングの値より小さい、
（２）前記ＡＰ−ＣＳＩ−ＲＳと同じシンボルにおいて、指示されたTransmission  Configuration  Indication  state（ＴＣＩ状態）を有する他の下りリンク信号がない、かつ、前記ＡＰ−ＣＳＩ−ＲＳと同じシンボルにおいて、閾値より小さいスケジューリングオフセットを有するPhysical  Downlink  Shared  Channel（ＰＤＳＣＨ）及び前記ビームスイッチタイミングの値より小さいスケジューリングオフセットを有するＡＰ−ＣＳＩ−ＲＳの少なくとも一方がある、制御部と、
前記ＱＣＬ想定を用いて前記ＡＰ−ＣＳＩ−ＲＳを受信する受信部と、を有することを特徴とする端末。
【請求項２】
前記指示されたＴＣＩ状態を有する他の下りリンク信号は、前記閾値以上のスケジューリングオフセットを有するＰＤＳＣＨ、前記ビームスイッチタイミングの値以上のスケジューリングオフセットを有するＡＰ−ＣＳＩ−ＲＳ、周期的チャネル状態情報参照信号（Ｐ−ＣＳＩ−ＲＳ）及び半永続的チャネル状態情報参照信号（ＳＰ−ＣＳＩ−ＲＳ）の少なくとも一方であることを特徴とする請求項１に記載の端末。
【請求項３】
非周期チャネル状態情報参照信号（ＡＰ−ＣＳＩ−ＲＳ）のQuasi-Co-Location（ＱＣＬ）想定を、以下の（１）及び（２）の条件が両方満たされる場合に、１つ以上の制御リソースセット（ＣＯＲＥＳＥＴ）がモニタされるスロットにおけるＣＯＲＥＳＥＴ−ＩＤのうち最小のＣＯＲＥＳＥＴ−ＩＤに対応するＣＯＲＥＳＥＴに基づいて決定する、ここで、
（１）前記ＡＰ−ＣＳＩ−ＲＳをスケジュールする下りリンク制御情報を伝送する下りリンク制御チャネルの受信と、前記ＡＰ−ＣＳＩ−ＲＳの受信との間のスケジューリングオフセットが、報告したビームスイッチタイミングの値より小さい、
（２）前記ＡＰ−ＣＳＩ−ＲＳと同じシンボルにおいて、指示されたTransmission  Configuration  Indication  state（ＴＣＩ状態）を有する他の下りリンク信号がない、かつ、前記ＡＰ−ＣＳＩ−ＲＳと同じシンボルにおいて、閾値より小さいスケジューリングオフセットを有するPhysical  Downlink  Shared  Channel（ＰＤＳＣＨ）及び前記ビームスイッチタイミングの値より小さいスケジューリングオフセットを有するＡＰ−ＣＳＩ−ＲＳの少なくとも一方がある、工程と、
前記ＱＣＬ想定を用いて前記ＡＰ−ＣＳＩ−ＲＳを受信する工程と、を有することを特徴とする端末の無線通信方法。
【請求項４】
非周期チャネル状態情報参照信号（ＡＰ−ＣＳＩ−ＲＳ）を端末に送信する送信部と、
前記端末において、前記ＡＰ−ＣＳＩ−ＲＳのQuasi-Co-Location（ＱＣＬ）想定は、以下の（１）及び（２）の条件が両方満たされる場合に、１つ以上の制御リソースセット（ＣＯＲＥＳＥＴ）がモニタされるスロットにおけるＣＯＲＥＳＥＴ−ＩＤのうち最小のＣＯＲＥＳＥＴ−ＩＤに対応するＣＯＲＥＳＥＴに基づいて決定される、と想定する、ここで、
（１）前記ＡＰ−ＣＳＩ−ＲＳをスケジュールする下りリンク制御情報を伝送する下りリンク制御チャネルの受信と、前記ＡＰ−ＣＳＩ−ＲＳの受信との間のスケジューリングオフセットが、報告したビームスイッチングタイミングの値より小さい、
（２）前記ＡＰ−ＣＳＩ−ＲＳと同じシンボルにおいて、指示されたTransmission  Configuration  Indication  state（ＴＣＩ状態）を有する他の下りリンク信号がない、かつ、前記ＡＰ−ＣＳＩ−ＲＳと同じシンボルにおいて、閾値より小さいスケジューリングオフセットを有するPhysical  Downlink  Shared  Channel（ＰＤＳＣＨ）及び前記ビームスイッチタイミングの値より小さいスケジューリングオフセットを有するＡＰ−ＣＳＩ−ＲＳの少なくとも一方がある、制御部と、を有する基地局。
【請求項５】
基地局と端末とを有するシステムであって、
前記基地局は、
非周期チャネル状態情報参照信号（ＡＰ−ＣＳＩ−ＲＳ）を送信する送信部を有し、
前記端末は、
前記ＡＰ−ＣＳＩ−ＲＳのQuasi-Co-Location（ＱＣＬ想定）を、以下の（１）及び（２）の条件が両方満たされる場合に、１つ以上の制御リソースセット（ＣＯＲＥＳＥＴ）がモニタされるスロットにおけるＣＯＲＥＳＥＴ−ＩＤのうち最小のＣＯＲＥＳＥＴ−ＩＤに対応するＣＯＲＥＳＥＴに基づいて決定する、ここで、
（１）前記ＡＰ−ＣＳＩ−ＲＳをスケジュールする下りリンク制御情報を伝送する下りリンク制御チャネルの受信と、前記ＡＰ−ＣＳＩ−ＲＳの受信との間のスケジューリングオフセットが、報告したビームスイッチタイミングの値より小さい、
（２）前記ＡＰ−ＣＳＩ−ＲＳと同じシンボルにおいて、指示されたTransmission  Configuration  Indication  state（ＴＣＩ状態）を有する他の下りリンク信号がない、かつ、前記ＡＰ−ＣＳＩ−ＲＳと同じシンボルにおいて、閾値より小さいスケジューリングオフセットを有するPhysical  Downlink  Shared  Channel（ＰＤＳＣＨ）及び前記ビームスイッチタイミングの値より小さいスケジューリングオフセットを有するＡＰ−ＣＳＩ−ＲＳの少なくとも一方がある、制御部と、
前記ＱＣＬ想定を用いて前記ＡＰ−ＣＳＩ−ＲＳを受信する受信部と、を有するシステム。
【手続補正３】
【補正対象書類名】明細書
【補正対象項目名】００１０
【補正方法】変更
【補正の内容】
【００１０】
本開示の一態様に係る端末は、非周期チャネル状態情報参照信号（Aperiodic  Channel  State  Information-Reference  Signal（ＡＰ−ＣＳＩ−ＲＳ））のQuasi-Co-Location（ＱＣＬ）想定を、以下の（１）及び（２）の条件が両方満たされる場合に、１つ以上の制御リソースセット（ＣＯＲＥＳＥＴ）がモニタされるスロットにおけるＣＯＲＥＳＥＴ−ＩＤのうち最小のＣＯＲＥＳＥＴ−ＩＤに対応するＣＯＲＥＳＥＴに基づいて決定する、ここで、（１）前記ＡＰ−ＣＳＩ−ＲＳをスケジュールする下りリンク制御情報を伝送する下りリンク制御チャネルの受信と、前記ＡＰ−ＣＳＩ−ＲＳの受信との間のスケジューリングオフセットが、報告したビームスイッチタイミングの値より小さい、（２）前記ＡＰ−ＣＳＩ−ＲＳと同じシンボルにおいて、指示されたTransmission  Configuration  Indication  state（ＴＣＩ状態）を有する他の下りリンク信号がない、かつ、前記ＡＰ−ＣＳＩ−ＲＳと同じシンボルにおいて、閾値より小さいスケジューリングオフセットを有するPhysical  Downlink  Shared  Channel（ＰＤＳＣＨ）及び前記ビームスイッチタイミングの値より小さいスケジューリングオフセットを有するＡＰ−ＣＳＩ−ＲＳの少なくとも一方がある、制御部と、前記ＱＣＬ想定を用いて前記ＡＰ−ＣＳＩ−ＲＳを受信する受信部と、を有することを特徴とする。
【国際調査報告】
2020170449.tif 000010
2020170449.tif 000011